(57)【要約】【課題】  帯電手段および帯電電源を備えたコロナ帯電装置で、放電異常が発生したときのダウンタイムを低減。【解決手段】  被帯電体ＰＣの表面に対向する複数の放電手段ＷＲ１，ＷＲ２を有し該複数の放電手段間に仕切りＳＬがあるコロナ放電器ＳＣ；それぞれが、各放電手段にコロナ放電電力を給電する機能，前記給電を停止する機能，変更指示に応じて給電電力を変更する機能、および、停止解除によって前記コロナ放電電力の給電を再開する機能を持つ、複数の帯電電源ＰＳ１，ＰＳ２；各放電手段の放電異常を検出して放電異常を生じた放電手段に給電する前記帯電電源ＰＳ１，ＰＳ２の前記給電を停止する放電異常検出手段Ｖｓ１，Ｖｓ２，Ｖｓ３；および、前記複数の帯電電源ＰＳ１，ＰＳ２の１つの、放電異常による給電停止時に、他の帯電電源に給電電力上げＳ３３２を指示する制御手段９１；を備える。【選択図】  図６
2008304526.tif 000002
【特許請求の範囲】
【請求項１】
被帯電体の表面に対向する複数の放電手段を有し該複数の放電手段間に仕切りがあるコロナ放電器；
それぞれが、各放電手段にコロナ放電電力を給電する機能，前記給電を停止する機能，変更指示に応じて給電電力を変更する機能、および、停止解除によって前記コロナ放電電力の給電を再開する機能を持つ、複数の帯電電源；
各放電手段の放電異常を検出して放電異常を生じた放電手段に給電する前記帯電電源の前記給電を停止する放電異常検出手段；および、
前記複数の帯電電源の１つの、放電異常による給電停止時に、他の帯電電源に給電電力上げを指示する制御手段；を備えるコロナ帯電装置。
【請求項２】
前記放電異常は、リークおよびリークが発生していない電圧異常を含む；請求項１に記載のコロナ帯電装置。
【請求項３】
電荷担持媒体；
該電荷担持媒体の表面を帯電する請求項１又は２に記載のコロナ帯電装置；
画像データに対応して前記電荷担持媒体の帯電面を除電して前記画像データが表す画像の静電潜像を形成する潜像形成手段；
前記静電潜像に、顕像剤を与えて可視像に現像する手段；および、
前記可視像を用紙に転写する手段；を備える画像形成装置。
【請求項４】
前記制御手段は、前記複数の帯電電源の１つの、放電異常による給電停止時に、前記電荷担持媒体の移動速度を下げる；請求項３に記載の画像形成装置。
【請求項５】
前記制御手段は、前記帯電電源が放電異常により給電を停止したときの、前記用紙に対する転写を中止する；請求項４に記載の画像形成装置。
【請求項６】
前記制御手段は、前記帯電電源が放電異常により給電を停止したとき、前記静電潜像の形成が完了している画像の次の画像を作像に定めて前記電荷担持媒体の表面を帯電する工程以下の作像作業を行う；請求項３乃至５のいずれか１つに記載の画像形成装置。
【請求項７】
指定されていた作像作業を完了すると、前記制御手段は、設定時間後に、前記放電異常により給電を停止した帯電電源の該停止を解除し、前記給電電力上げを指示した帯電電源の該指示を解除する；請求項６に記載の画像形成装置。
【請求項８】
前記制御手段は、前記設定時間の間、前記コロナ放電器の気体を排気する空調手段を駆動する；請求項７に記載の画像形成装置。
【請求項９】
指定されていた作像作業を完了すると、前記制御手段は、前記コロナ放電器の清掃機構を駆動し、清掃を完了すると、前記放電異常により給電を停止した帯電電源の該停止を解除し、前記給電電力上げを指示した帯電電源の該指示を解除する；請求項６に記載の画像形成装置。
【請求項１０】
前記制御手段は、前記複数の帯電電源の２つ以上の、放電異常による給電停止が重なった場合には、作像作業を中断し、前記静電潜像の形成が完了している画像の次の画像を作像に定めて、設定時間後に、前記放電異常により給電を停止した帯電電源の該停止を解除し、前記作像に定めた画像の前記電荷担持媒体の表面を帯電する工程以下の作像作業を行う；請求項３に記載の画像形成装置。
【請求項１１】
前記制御手段は、前記設定時間の間、前記コロナ放電器の気体を排気する空調手段を駆動する；請求項１０に記載の画像形成装置。
【請求項１２】
前記制御手段は、前記複数の帯電電源の２つ以上の、放電異常による給電停止が重なった場合には、作像作業を中断し、前記静電潜像の形成が完了している画像の次の画像を作像に定めて、前記コロナ放電器の清掃機構を駆動し、清掃を完了すると、前記放電異常により給電を停止した帯電電源の該停止を解除し、前記作像に定めた画像の前記電荷担持媒体の表面を帯電する工程以下の作像作業を行う；請求項３，１０又は１１に記載の画像形成装置。
【請求項１３】
前記放電異常による給電停止の発生を、通信によりサービスセンタに連絡する通信手段；を備える請求項３乃至１２のいずれか１つに記載の画像形成装置。
【請求項１４】
前記放電異常により給電を停止した帯電電源の該停止の解除を、通信によりサービスセンタに連絡する通信手段；を備える請求項７乃至１３のいずれか１つに記載の画像形成装置。
【発明の詳細な説明】
【技術分野】
【０００１】
本発明は、被帯電体を荷電する帯電装置およびそれを用いる画像形成装置に関し、たとえば、これに限定する意図ではないが、プリンタ，複写機およびファクシミリに用いることが出来る。
【背景技術】
【０００２】
たとえば、電子写真方式の画像形成装置に用いられるコロナ帯電装置は、一般的にスコロトロンと呼ばれる構成をとっている。ワイヤや鋸歯状の放電手段へ電圧をかけ、そこから飛び出してくる電子の流れをグリッドと呼ばれる格子状の構造体で整え、感光体を一定の電位に帯電させる。コロナ帯電装置は、放電手段やそれが納められているケーシングへの異物付着などによってリークと呼ばれる火花放電が発生する。また、過剰なイオンの滞留によってもリークが発生する。リークが発生すると、感光体上へ十分な電子を供給することができなくなり、感光体上の帯電電位が低下して画像不良を引き起こす。このため、一般的にはリークが発生したならばすぐに画像形成装置の作像動作を停止させ、保守担当者にコロナ帯電装置の清掃や部品の交換、あるいはコロナ帯電装置そのものの交換などといった対処を促す。このとき、いつでも画像形成装置の近くに保守員が存在するとは限らず、また離れた場所に保守員がいる場合には、画像形成装置のメンテナンスまで時間がかかり、画像形成装置がコロナ帯電装置の異常によって停止する時間（ダウンタイム）が長くなり、使用者の使い勝手を著しく損なう。
【０００３】
一方、高速な作像速度に対応するためには、コロナ帯電装置の帯電能力を上げる必要がある。そこで、主となる帯電装置に加えて副帯電装置を設ける方法が考えられ既に知られている。
【０００４】
【特許文献１】特開２００１−  １３７６４号公報
【特許文献２】特開２００５−３３８７９７号公報
【特許文献３】特開２００１−３５０３２７号公報
【特許文献４】特表２００４−５０５３２１号公報
【特許文献５】特開２００７−０４１２９３号公報。
【０００５】
特許文献１は、チャージャワイヤ，グリッドおよびこれらを自動清掃するクリーニング装置を備えるコロナ帯電器を記載している。特許文献２は、２本のチャージャワイヤ，それらの間の仕切り，グリッドおよびグリッド清掃機構を備えるコロナ帯電器を記載している。特許文献３は、コロナ帯電装置の小型化目的で、複数の放電手段それぞれに複数の電源装置を設けたコロナ帯電装置を開示している。このコロナ帯電装置では、各放電手段それぞれに電源が接続され、各出力をモニターして書くワイヤの振動を検知し、ワイヤ振動を検知したならば該ワイヤの放電出力を一定量絞る。
【０００６】
特許文献４には、複数のコロナワイヤおよびグリッドを備えるコロナ帯電器のグリッド電圧を計測してアーク発生を検出し、アークが発生すると、画像形成プロセスを停止し待機モードにしてコロナ帯電器のクリーニング装置を起動し、クリーニングが完了すると、アークが発生した画像フレームから画像形成プロセスを再開する、との画像形成プロセス制御が記載されている。
【０００７】
特許文献５には、帯電能力を高める目的で、主帯電装置と副帯電装置を用いた感光体の帯電方式について開示され、この帯電方式は、主帯電装置の上流側に副帯電装置を設け、主帯電装置の静電疲労状態に応じて副帯電装置が動作することで、主帯電装置の帯電能力不足を補う構成が開示されている。
【発明の開示】
【発明が解決しようとする課題】
【０００８】
しかし、今までのコロナ帯電装置では、作像速度が速い画像形成装置では、コロナ帯電装置直下を感光体が通過する単位時間当たりの面積が大きくなり、単位面積あたりに照射させる単位時間あたりの電子量が低下する。このため、作像速度が速くなるほど同じ放電量では帯電量が小さくなる。高速に対応するためには放電量を増加させればよいが、高出力の電源はカスタム品とならざるを得ずコストが高い。汎用・量産部品を使用して帯電能力を上げようとするアプローチも試みられてはいるが、電源ごとに帯電装置を用意する構成のため、その占有領域が大きくなる。
【０００９】
単品では出力がそれほど大きくない量産・汎用の部品を使用することで低コスト・小型化という要求に応えつつ、複数の電力源によることで高出力・高速作像に対応したコロナ帯電装置を提供するというアプローチもなされてはいるが、それぞれスイッチング電源が接続された放電手段間に仕切りがないと、ある放電手段の放電が停止した場合、他の放電手段からの電流の流れ込みが発生し、放電が停止した放電手段の放電再開を行うためのスイッチング電源の起動不良が発生する可能性があるため、放電を再開するためにはいったんすべての出力を停止する必要がある。コロナ帯電装置の出力が停止されている間は画像形成装置の作像動作は中断せざるを得ず、ダウンタイム低減という観点からは問題があった。
【００１０】
本発明は、複数の帯電手段およびそれぞれへつながれた複数の帯電電源を備えたコロナ帯電装置で、帯電手段で放電異常が発生した場合に、帯電機能のダウンタイムを低減することを目的とする。該コロナ帯電装置を装備した画像形成装置においては、帯電手段で放電異常が発生した場合の作像作業のダウンタイムを低減することを目的とする。
【課題を解決するための手段】
【００１１】
（１）被帯電体(PC)の表面に対向する複数の放電手段(WR1,WR2)を有し該複数の放電手段間に仕切り(SL)があるコロナ放電器(SC)；
それぞれが、各放電手段にコロナ放電電力を給電する機能，前記給電を停止する機能，変更指示に応じて給電電力を変更する機能、および、停止解除によって前記コロナ放電電力の給電を再開する機能を持つ、複数の帯電電源(PS1,PS2)；
各放電手段の放電異常を検出して放電異常を生じた放電手段に給電する前記帯電電源(PS1,PS2)の前記給電を停止する放電異常検出手段(Vs1,Vs2,Vs3)；および、
前記複数の帯電電源(PS1,PS2)の１つの、放電異常による給電停止時に、他の帯電電源に給電電力上げ(S332)を指示する制御手段(91)；を備えるコロナ帯電装置。
【００１２】
なお、理解を容易にするために括弧内には、図面に示し後述する実施例の対応要素の記号を、例示として参考までに付記した。以下も同様である。
【００１３】
（２）前記放電異常は、リークおよびリークが発生していない電圧異常を含む；上記（１）に記載のコロナ帯電装置。
【００１４】
（３）電荷担持媒体(PC)；
該電荷担持媒体(PC)の表面を帯電する上記（１）又は（２）に記載のコロナ帯電装置；
画像データに対応して前記電荷担持媒体(PC)の帯電面を除電して前記画像データが表す画像の静電潜像を形成する潜像形成手段(43)；
前記静電潜像に、顕像剤を与えて可視像に現像する手段；および、
前記可視像を用紙に転写する手段；を備える画像形成装置(MF1)。
【発明の効果】
【００１５】
複数の放電手段を持つことで、どれかひとつの放電手段がリーク等で放電が停止したとしても、それ以外の放電手段のみを用いて作像動作を継続することができ、また、リークの兆候（放電電圧異常）をリーク発生前に検知して、コロナ帯電装置の清掃などを動的に実行すれば、画像形成装置のダウンタイムを低減することができる。他に、コスト抑制や小型化できるなどの効果も期待できる。
【００１６】
各放電手段の放電電圧をモニターすることで、事前に放電手段の静電疲労や汚れの状態を検知し、リークが発生する前に清掃機構を動作させることで画像形成装置に故障を未然に防止し、また正常に放電を継続している放電手段の放電量を増加させることで、生産性の低下を最小限に抑えることができる。
【００１７】
複数の放電手段を１つのコロナ帯電装置の仕切り(SL)で区分した空間に納め、かく放電手段を各電源につなぐことで、すなわち、電源も複数にして各電源から各放電手段に給電することにより、大出力のカスタム品の部品を用意することなく汎用品の部品で高速な作像に対応可能であり、１つの放電手段に放電異常を生じても、作像作業を行うことが出来る。
【００１８】
（４）前記制御手段(91)は、前記複数の帯電電源(PS1,PS2)の１つの、放電異常による給電停止時に、前記電荷担持媒体(PC)の移動速度を下げる(S333/S334)；上記（３）に記載の画像形成装置(MF1)。これによれば、１つの放電手段に放電異常を生じ、正常な他の放電手段のみを用いて帯電を行う場合、コロナ放電装置による帯電量が低下しても、電荷担持媒体(PC)には適正量の帯電を行うことが出来る。
【００１９】
（５）前記制御手段(91)は、前記帯電電源(PS1,PS2)が放電異常により給電を停止したときの、前記用紙に対する転写を中止する(S35〜S38)；上記（４）に記載の画像形成装置(MF1)。
【００２０】
（６）前記制御手段(91)は、前記帯電電源(PS1,PS2)が放電異常により給電を停止したとき、前記静電潜像の形成が完了している画像の次の画像を作像に定めて(S36〜S38)前記電荷担持媒体(PC)の表面を帯電する工程以下の作像作業を行う；上記（３）乃至（５）のいずれか１つに記載の画像形成装置(MF1)。
【００２１】
（７）指定されていた作像作業を完了すると、前記制御手段(91)は、設定時間後に、前記放電異常により給電を停止した帯電電源の該停止を解除し、前記給電電力上げを指示した帯電電源の該指示を解除する(S521,S53)；上記（６）に記載の画像形成装置(MF1)。
【００２２】
（８）前記制御手段(91)は、前記設定時間の間、前記コロナ放電器(SC)の気体を排気する空調手段(FN)を駆動する(S521)；上記（７）に記載の画像形成装置(MF1)。
【００２３】
（９）指定されていた作像作業を完了すると、前記制御手段(91)は、前記コロナ放電器(SC)の清掃機構を駆動し(S522/S524)、清掃を完了すると、前記放電異常により給電を停止した帯電電源の該停止を解除し、前記給電電力上げを指示した帯電電源の該指示を解除する(S53)；上記（６）に記載の画像形成装置(MF1)。
【００２４】
（１０）前記制御手段(91)は、前記複数の帯電電源(PS1,PS2)の２つ以上の、放電異常による給電停止が重なった場合には、作像作業を中断し、前記静電潜像の形成が完了している画像の次の画像を作像に定めて(S41〜S46)、設定時間後に、前記放電異常により給電を停止した帯電電源の該停止を解除し、前記作像に定めた画像の前記電荷担持媒体(PC)の表面を帯電する工程以下の作像作業を行う(S65,S58,S59-S9)；上記（３）に記載の画像形成装置(MF1)。
【００２５】
（１１）前記制御手段(91)は、前記設定時間の間、前記コロナ放電器(SC)の気体を排気する空調手段(FN)を駆動する(S64)；上記（１０）に記載の画像形成装置(MF1)。
【００２６】
（１２）前記制御手段(91)は、前記複数の帯電電源(PS1,PS2)の２つ以上の、放電異常による給電停止が重なった場合には、作像作業を中断し、前記静電潜像の形成が完了している画像の次の画像を作像に定めて(S41〜S46)、前記コロナ放電器(SC)の清掃機構を駆動し(S67)、清掃を完了すると、前記放電異常により給電を停止した帯電電源の該停止を解除し、前記作像に定めた画像の前記電荷担持媒体(PC)の表面を帯電する工程以下の作像作業を行う(S65,S58,S59-S9)；上記（３），（１０）又は（１１）に記載の画像形成装置(MF1)。
【００２７】
（１３）前記放電異常による給電停止の発生を、通信によりサービスセンタに連絡する(S35/S43)通信手段(71,79,83)；を備える上記（３）乃至（１２）のいずれか１つに記載の画像形成装置(MF1)。
【００２８】
（１４）前記放電異常により給電を停止した帯電電源の該停止の解除を、通信によりサービスセンタに連絡する(S54/S59)通信手段(71,79,83)；を備える上記（７）乃至（１３）のいずれか１つに記載の画像形成装置(MF1)。
【発明を実施するための最良の形態】
【００２９】
本発明の他の目的および特徴は、図面を参照した以下の実施例の説明より明らかになろう。
【実施例１】
【００３０】
図１に、本発明の第１実施例の複合機能フルカラーデジタル複写機ＭＦ１の外観を示す。このフルカラー複写機は、大略で、操作ボード１０と、カラースキャナ２０と、自動原稿送り装置（ＡＤＦ）３０と、カラープリンタ４０と、給紙バンク５０の各ユニットで構成されている。機内の画像データ処理装置には、パソコンＰＣＭが接続したＬＡＮ（Ｌｏｃａｌ  Ａｒｅａ  Ｎｅｔｗｏｒｋ）が接続されている。また、機内のファクシミリコントローラＦＣＵ６０（図２）は、交換機ＰＢＸおよび公衆通信網ＰＮを介して、ファクシミリ通信をすることが出来る。
【００３１】
プリンタ４０には、転写ユニットがあり、該転写ユニットには、無端ベルトである転写ベルト４１がある。転写ベルト４１は、３つの支持ローラと１つのテンションローラに掛け廻されており、時計廻りに回動駆動される。テンションローラの近くに、画像転写後に転写ベルト４１上に残留する残留トナーを除去する転写体クリーニングユニットがある。
【００３２】
１つの支持ローラともう１つの支持ローラとの間の転写ベルト４１には、その移動方向に沿って、Ｃ，Ｍ，Ｙ，Ｂｋ各色作像用の作像ユニットが装備され、これらの中にある各感光体ドラムＰＣに、転写ベルト４１を挟んで対向して、転写ローラ４２がある。前記作像装置の上方には、各色感光体ユニットの各感光体ドラムに画像形成のためのレーザ光を照射するレーザ露光ユニット４３がある。各感光体ドラムＰＣを、各コロナ帯電器ＳＣが均一に帯電し、帯電面をレーザ露光ユニット４３が画像信号で変調したレーザを投射する。これによって生じた静電潜像を、現像器が現像してトナー像とする。このトナー像が転写ベルト４１に転写される。
【００３３】
転写ベルト４１の下方には、搬送ベルト４５がある。搬送ベルト４５は、転写ベルト４１上のトナー像を、用紙上に転写する。トナー像を転写した用紙（転写紙）は、搬送ベルト４５で定着ユニット４６に送り出される。搬送ベルト４５および定着ユニット４６の下方に、表面に画像を形成した直後の用紙を、裏面にも画像を記録するために表裏を反転して送り出すシート反転ユニットである両面ドライブユニットがある。
【００３４】
スタートスイッチが押されると、原稿自動搬送装置（ＡＤＦ）３０に原稿があるときは、それをスキャナ２０のコンタクトガラス上に搬送してから、ＡＤＦ３０に原稿が無いときにはコンタクトガラス上に手置きの原稿を読むために直ちに、スキャナ２０を駆動し、スキャナ２０内の第１キャリッジおよび第２キャリッジを、読み取り走査駆動する。そして、第１キャリッジ上の光源からコンタクトガラスに光を発射するとともに原稿面からの反射光を第１キャリッジ上の第１ミラーで反射して第２キャリッジに向け、第２キャリッジ上のミラーで反射して結像レンズを通して読取りセンサであるＣＣＤ２１（図２）に結像する。読取りセンサで得た画像信号に基づいてＣ，Ｍ，Ｙ，Ｂｋ各色記録データが生成される。
【００３５】
また、スタートスイッチが押されたときに、転写ベルト４１の回動駆動が開始されるとともに、前記作像装置の各ユニットの作像準備が開始され、そして各色作像の作像シーケンスが開始されて、各色用の感光体ドラムに各色記録データに基づいて変調された露光レーザが投射され、各色作像プロセスにより、各色トナー像が転写ベルト４１上に一枚の画像として、重ね転写される。このトナー画像の先端が搬送ベルト４５に進入するときに同時に先端が搬送ベルト４５に進入するようにタイミングをはかって用紙がレジストローラ対４７から転写ベルト４５に送り込まれ、これにより転写ベルト４１上のトナー像が用紙に転写する。転写ベルト４１には、転写ローラ４２によって、トナーを転写する電圧が印加される。トナー像が移った用紙は定着ユニット４６に送り込まれ、そこでトナー像が用紙に定着する。
【００３６】
なお、上述の用紙は、給紙バンク５０の給紙トレイ（給紙段又はカセットとも言う）５１〜５３の直近上方の給紙ローラの１つを選択回転駆動し、給紙バンク５０に多段に備える給紙トレイ５１〜５３の１つからシートを繰り出し、分離ローラで１枚だけ分離して、縦配列の搬送コロユニットに入れ、上方に搬送してプリンタ４０内の搬送コロユニットに導き、搬送コロユニットのレジストローラ対４７に突き当てて止めてから、前述のタイミングで搬送ベルト４５に送り出されるものである。シート検出回路１１１ａが、レジストローラ対４７の直前に到来した用紙を検出する。右側端の手差しトレイ上に用紙を差し込んで給紙することもできる。ユーザが手差しトレイ上に用紙を差し込んでいるときには、プリンタ４０が手差しトレイ部の給紙ローラを回転駆動して手差しトレイ上のシートの一枚を分離して手差し給紙路に引き込み、同じくレジストローラ対４７に突き当てて止める。
【００３７】
定着ユニット４６で定着処理を受けて排出される用紙は、切換爪で排出ローラに案内して図示を省略した排紙トレイ上にスタックする。または、切換爪で両面ドライブユニットに案内して、そこで反転して再び転写位置へと導き、裏面にも画像を記録して後、排出ローラで排紙トレイ上に排出する。シート検出回路１１１ｂが、定着ユニット４６から出る定着済用紙を検出する。一方、画像転写後の転写ベルト４１上に残留する残留トナーは、図示を省略した転写体クリーニングユニットで除去し、再度の画像形成に備える。
【００３８】
図２に、図１に示す複合機能複写機ＭＦ１の電装系統のシステム構成を示す。電装システムは、画像形成装置の全体制御を行うコントローラ７０，コントローラ７０に接続された、画像形成装置の操作ボード１０，画像データを記憶するＨＤＤ７８，アナログ回線を使用して外部との通信を行う通信コントロール装置インターフェースボード７９，ＬＡＮインターフェースボード８０，汎用ＰＩＣバスに接続された、ＦＡＸのコントロールユニット６０，ＩＥＥＥ１３９４ボード，無線ＬＡＮボード，ＵＳＢボード等８１と、ＰＣＩバスでコントローラに接続されたエンジン制御９０，エンジン制御９０に接続された、画像形成装置のＩ／Ｏを制御するＩ／Ｏボード１００、及び、コピー原稿（画像）を読み込むスキャナーボード（ＳＢＵ：Ｓｅｎｓｏｒ  Ｂｏａｒｄ  Ｕｎｉｔ）２２、ならびに画像データをドラム上に書き込むＬＤＢ（レーザダイオードボード）４３等で構成される。
【００３９】
原稿を光学的に読み取る読取ユニット２０は、原稿に対する原稿照明光源の走査を行い、ＣＣＤ２１に原稿像を結像する。原稿像すなわち原稿に対する光照射の反射光をＣＣＤ２１で光電変換してＲ，Ｇ，Ｂ画像信号を生成する。
【００４０】
通信コントロール装置インターフェースボード７９は、装置に不具合が発生した場合に外部の遠隔地診断装置に即時に通報し、故障個所の内容，状況等をサービスマンが認識し早急に修理することを可能としている。また、それ以外に装置の使用状況等の発信にも使用されている。
【００４１】
図２に示すＣＣＤ２１は、３ラインカラーＣＣＤで、ＥＶＥＮｃｈ（偶数画素チャンネル）／ＯＤＤｃｈ（奇数画素チャンネル）のＲ、Ｇ、Ｂ画像信号を生成し、ＳＢＵボードのアナログＡＳＩＣ（Ａｐｐｌｉｃａｔｉｏｎ  Ｓｐｅｃｉｆｉｃ  ＩＣ）に入力する。ＳＢＵボードにはアナログＡＳＩＣ及び，ＣＣＤ、アナログＡＳＩＣの駆動タイミングを発生する回路を備えている。ＣＣＤ２１の出力は、アナログＡＳＩＣ内部のサンプルホールド回路により、サンプルホールドされその後、Ａ／Ｄ変換され、Ｒ、Ｇ、Ｂの画像データに変換し、且つシェーディング補正し、そして出力Ｉ／Ｆ（インターフェース）２３で画像データバスを介して画像データ処理器ＩＰＰ（Ｉｍａｇｅ  Ｐｒｏｃｅｓｓｉｎｇ  Ｐｒｏｃｅｓｓｏｒ；以下では単にＩＰＰと記述）９４に送出する。
【００４２】
ＩＰＰ９４は、画像処理をおこなうプログラマブルな演算処理手段であり、分離生成（画像が文字領域か写真領域かの判定：像域分離），地肌除去，スキャナガンマ変換，フィルタ，色補正，変倍，画像加工，プリンタガンマ変換および階調処理を行う。ＳＢＵ２２からＩＰＰ９４に転送されたＲ，Ｇ，Ｂ画像データは、ＩＰＰ９４にて光学系およびデジタル信号への量子化に伴う信号劣化（スキャナ系の信号劣化）を補正され（分離生成，地肌除去，スキャナガンマ変換，フィルタ）、フレームメモリ７７に書き込まれる。コピーの場合には、この画像データはフレームメモリ７７から読み出されて、ＩＰＰ９４でプリンタ出力用の画像データＣ，Ｍ，Ｙ，Ｂに補正され（色補正，変倍，画像加工，プリンタガンマ変換，階調処理）、プリンタ４０のＬＤＢ４３に出力される。
【００４３】
システムコントローラ７０には、ＣＰＵ７１及びシステムコントローラボードの制御を行うＲＯＭ７２，ＣＰＵ１が使用する作業用メモリであるＲＡＭ７３，リチウム電池を内臓し、ＳＲＡＭのバックアップと時計を内臓したＮＶ−ＲＡＭ７４，システムコントローラボード７０のシステバス制御，フレームメモリ制御，ＦＩＦＯ等のＣＰＵ周辺を制御するＡＳＩＣ７５，そのインターフェース回路および状態変化検知回路ＡＣＤ等が搭載されている。
【００４４】
状態変化検知回路ＡＣＤには、スキャナ２０の圧板スイッチおよびＡＤＦ３０のフィラーセンサ（原稿有無センサ）の各検出信号線，操作ボード１０の電源キー１９のキー操作検出信号線、ならびに、ＦＣＵ６０の受信検出信号線が接続されている。状態変化検知回路ＡＣＤには、主電源スイッチ２０１（図２）がオンの間、電源回路２００が休止モードであっても継続して出力する休止活動電圧＋５ＶＥが印加される。この＋５ＶＥが加わっている限り、検知回路ＡＣＤに接続された上記信号線の何れかに信号変化があると、これを表す変化検出信号をＣＰＵ７１に与える。ＣＰＵ７１はこの信号に応答して電源回路２００を、休止モードから、複写機各部に動作電圧＋５Ｖおよび＋２４Ｖを出力するスタンバイモード（動作モード）に切換える。
【００４５】
システムコントローラ７０は、スキャナアプリケーション，ファクシミリアプリケーション，プリンタアプリケーションおよびコピーアプリケーション等の複数アプリケーションの機能を有し、システム全体の制御を行う。操作ボード１０の入力を解読して本システムの設定とその状態内容を操作ボードの表示部に表示する。
【００４６】
ＰＣＩバス８２には多くのユニットが接続されており、画像データバス／制御コマンドバスで、画像データと制御コマンドが時分割で転送される。
【００４７】
通信コントロール装置インターフェースボード７９は、通信コントロール装置８３と、コントローラ７０との通信インターフェースボードである。コントローラ７０との通信は、全二重非同期シリアル通信で接続されている。通信コントロール装置８３とは、ＲＳ−４８５インターフェース規格により、マルチドロップ接続されている。遠隔の管理システムとの通信は、この通信コントローラ装置インターフェースボード７９を経由して実施される。
【００４８】
ＬＡＮインターフェースボード８０は、社内ＬＡＮに接続されている。社内ＬＡＮとコントローラ７０との通信インターフェースボードであり、ＰＨＹチップを搭載している。ＬＡＮインターフェースボード８０とコントローラ７０とは、ＰＨＹチップＩ／Ｆ及びＩ２ＣバスＩ／Ｆの標準的な通信インターフェースで接続されている。外部機器との通信はこのＬＡＮインターフェースボード８０を経由して実施される。
【００４９】
ＨＤＤ７８は、システムのアプリケーションプログラムならびにプリンタ、作像プロセス機器の機器付勢情報を格納するアプリケーションデータベース、ならびに、読取り画像や書込み画像のイメージデータ、すなわち画像データ、ならびにドキュメントデータを蓄える画像データベースとして用いられる。物理インターフェース、電気的インターフェース共に、ＡＴＡ／ＡＴＡＰＩ−４にの準拠したインターフェースでコントローラに接続されている。
【００５０】
操作ボード１０には、ＣＰＵ及びＲＯＭ，ＲＡＭ、ＬＣＤ及びキー入力を制御するＡＳＩＣ（ＬＣＤＣ）が搭載されている。ＲＯＭには操作ボード１０の入力読込み、及び表示出力を制御する、操作ボード１０の制御プログラムが書き込まれている。ＲＡＭは、ＣＰＵで使用する作業用メモリである。システムコントローラ７０との通信により、パネルを操作して使用者がシステム設定の入力を行う入力と、使用者にシステムの設定内容，状態を表示する、表示および入力の制御を行っている。
【００５１】
システムコントローラ７０のワークメモリ７６から出力されたブラック（Ｂ）、イエロー（Ｙ）、シアン（Ｃ）、マデンタ（Ｍ）の各色の書き込み信号は、ＬＤＢ  （Ｌａｓｅｒ  Ｄｉｏｄｅ  ｃｏｎｔｒｏｌ  Ｂｏａｒｄ）のＣ，Ｍ，Ｙ，ＢのＬＤ（Ｌａｓｅｒ  Ｄｉｏｄｅ）書き込み回路に入力される。ＬＤ書き込み回路でＬＤ電流制御（変調制御）が行われ、各ＬＤに出力される。
【００５２】
エンジン制御９０は、画像形成の作像作成制御を主として行い、ＣＰＵ９１及び、画像処理を行うＩＰＰ９４、複写およびプリントアウトを制御するため必要なプログラムを内蔵したＲＯＭ９２、その制御に必要なＲＡＭ９３、及びＮＶ―ＲＡＭ９５を搭載している。ＮＶ−ＲＡＭ９５には、ＳＲＡＭと、電源ＯＦＦを検知して、ＥＥＰＲＯＭにストアするメモリを搭載している。また、他の制御を行なうＣＰＵ７１，１０１などとの信号の送受信を行なう、シリアルインターフェースも備えているＩ／Ｏ  ＡＳＩＣ９６は、エンジン制御ボード９０が実装された、近くのＩ／Ｏに接続されたデバイス（カウンター、ファン、ソレノイド、モーター等）を制御するＡＳＩＣである。Ｉ／Ｏ制御ボード１００とエンジン制御ボード９０とは同期シリアルインターフェース接続されている。
【００５３】
Ｉ／Ｏ制御ボード１００には、サブＣＰＵ１０１を搭載しており、Ｐセンサ、Ｔセンサ等のアナログ制御も含む画像形成装置のＩ／Ｏ制御を行っている。４組のコロナ帯電電源ＰＳ１〜ＰＳ３の各組は、図１に示す４組のコロナ帯電器ＳＣのそれぞれにコロナ帯電電力を給電するものである。４組のコロナ帯電電源ＰＳ１〜ＰＳ３のそれぞれの正常／異常停止はインターフェース１０４を介してＣＰＵ９１に与えられ、ＣＰＵ９１は、必要なときに初期化指示，出力アップ指示およびその他の制御信号を、インターフェース１０４を介してコロナ帯電電源ＰＳ１〜ＰＳ３に与える。
【００５４】
図３に示す様に、操作ボード１０には、液晶タッチパネル１１のほかにキー群１２がある。キー群１２には、テンキー１３，クリア／ストップキー１４，スタートキー１５，初期設定キー１６，モード切換えキー１７，テスト印刷キー１８および電源キー１９がある。ＵＲＬ，ファイル名，フォルダ名等の入力，設定用ならびに短縮登録用の、平仮名を付記したアルファベットは、それらの入力ステージで液晶タッチパネル１１にキーボタンで表示される。電源キー１９は、休止モード（低電力モード）から画像印刷が可能なスタンバイモード（動作モード）に、またその逆への切換えを指示するための操作キーである。休止モードが設定されている時に電源キー１９が一回押されると、休止モードからスタンバイモードに切換る。スタンバイモードであるときに電源キー１９が一回押されると、スタンバイモードから休止モードに切換る。テスト印刷キー１８は、設定されている印刷部数に関わらず１部だけを印刷し、印刷結果を確認するためのキーである。
【００５５】
初期設定キー１６を押す事で、機械の初期状態を任意にカスタマイズする事が可能である。休止モードへの移行時間Ｔｄ１を設定したり、機械が収納している用紙サイズを設定したり、コピー機能のリセットキーを押したときに設定される状態を任意に設定可能である。初期設定キー１８が操作されると、各種初期値を設定するための「初期値設定」機能を指定するための選択ボタンが表示される。「移行時間Ｔｄ１設定」機能を選択して、移行時間Ｔｄ１を変更することが出来る。すなわち、コピー又は印刷を終了又は中断してから、休止モードに切り換えるまでの移行時間Ｔｄ１をユーザが自由に設定することができる。「初期値設定」機能を指定するための選択ボタンの１つに、コロナ帯電器ＳＣの初期設定ボタンがあり、ユーザ（管理権限があるユーザ又はサービスマン）が該初期設定ボタンを押すことにより、操作表示ボード１０が、液晶タッチパネル１１に、コロナ帯電器ＳＣの初期設定メニューを表示する。該初期設定メニューの中に、放電異常によりコロナ帯電電源が出力（コロナ帯電電力の給電）を停止したときに実行する帯電装置動作モード（継続優先／回復優先）の指定、および、コロナ帯電器を修整する復帰モード（簡易復帰／完全復帰）の指定がある。これらのデフォルトは「継続優先」および「完全復帰」であるが、ユーザはコロナ帯電器ＳＣの初期設定メニューのメニュー選択ボタンおよび切換えキーを操作して、動作モードは「継続優先」から「回復優先」にまたその逆に切り換えることができ、復帰モードは「完全復帰」から「簡易復帰」またその逆に切り換えることができる。指定モードはＮＶ−ＲＡＭ９５に書き込まれて、電源オフの間も保持される。
【００５６】
液晶タッチパネル１１には、各種機能キーならびに選択した機能の実行条件を入力する入力キーおよびメッセージなどが表示される。液晶タッチパネル１１には、「コピー」機能，「読み取り」機能，「登録」機能，「外部メモリ書込」機能，「印刷」機能，「外部メモリ出力」機能および「ファクシミリ」機能の選択用および実行中を表わす機能選択キーが表示される。機能選択キーにユーザがタッチすると、その機能に定まった入出力画面が液晶タッチパネル１１に表示される。
【００５７】
例えば「複写」機能が指定されているときには、図３に示すように、機能キー群ならびに部数及び画像形成装置の状態を示すメッセージが表示される。機能キー群の中には、印刷色指定キー「黒（ＢＫ）」，「フルカラー」，「自動色選択」，「青（Ｃ）」，「赤（Ｍ）」および「黄（Ｙ）」指定キーがある。オペレータが液晶タッチパネル１１に表示されたキーにタッチすると、操作ボード１０はオペレータ入力として読み込み、選択された機能を示すキーを、指定中を表す灰色に反転表示する。スキャナー１に原稿をセットしてスタートキーを押すことにより、コピーをすることが出来る。
【００５８】
「読み取り」選択キーにユーザがタッチすると、原稿をスキャナ２０で読み取って、画像データをネットワークＩ／Ｆ１０を介して直接接続のＰＣＭ又はネットワークを介して通信できるＰＣＭ等に送信することが出来る。「登録」機能は、スキャナ２０が読み取った画像データ又は外部（ネットワークＩ／Ｆ１０，メディアＩ／Ｆ１１等）から入力された書画情報をＨＤＤ７８に登録するものである。「外部メモリ書込」機能は、スキャナ２０で原稿を読み取って、メディアＩ／Ｆ１１を介してリムーバブル  メディア（例えばメモリカード）に格納するものである。「印刷」機能は、ＨＤＤ７８に登録した書画情報をプリンタ４０でプリントアウトするものである。「外部メモリ出力」機能は、メディアＩ／Ｆ１１を介して、リムーバブル  メディアの画像ファイルの画像データを読み出して、プリンタ４０で印刷するものである。「ファクシミリ」機能は、スキャナ２０で原稿を読み取ってファクシミリ送信するものである。
【００５９】
図４に、４組のコロナ帯電器ＳＣの中の１組と、該１組のコロナ帯電器ＳＣにコロナ帯電電量を供給する電源ＰＳ１〜ＰＳ３の構成を示す。他の組のコロナ帯電器ＳＣの構成も図４に示すものであり、各組に１組の電源ＰＳ１〜ＰＳ３が接続されている。図４に示すように、１組のコロナ帯電器ＳＣにおいて、そのケーシングＣＨとグリッドＧＲは電気的に接続されている。第１ワイヤＷＲ１および第２ワイヤＷＲ２から放電によって空気中に放出された電子は、シャワーのように感光体ＰＣの表面へと降り注ぐ。グリッドＧＲに電圧を与えたとき、感光体ＰＣの表面電位がグリッドＧＲの電位に等しくなればそれ以上感光体ＰＣ上へは電子は到達しない、という原理を用いて感光体ＰＣ上を一様の電位に帯電させる。
【００６０】
被帯電体（被荷電体）であり電荷担持体である感光体ドラムＰＣの表面を均一に帯電させるため、コロナ帯電器ＳＣには、大気中でコロナ放電を発生させるに十分な電圧を発生することのできる第１電源ＰＳ１に接続された放電手段である第１ワイヤＷＲ１と、大気中でコロナ放電を発生させるに十分な電圧を発生することのできる第２電源ＰＳ２に接続された放電手段である第２ワイヤＷＲ２とがあり、上記感光体ドラムＰＣ表面へ向かう電子の流れを制御するためのスコロトロングリッドＧＲが備わっている。該グリッドＧＲは、感光体ＰＣの帯電電位を目標電位にするための第３電源ＰＳ３に接続されている。本実施例では、第１〜第３電源ＰＳ１〜ＰＳ３はいずれも、負電圧を発生して出力する。第１ワイヤＷＲ１と第２ワイヤＷＲ２の間には、コロナ帯電器ＳＣのケーシングＣＨに接続された、第１，第２ワイヤ間での電流の流れ込みを防止する仕切りＳＬが設けてある。また、コロナ帯電器ＳＣのケーシングＣＨとグリッドＧＲは電気接続されている。さらには、コロナ帯電器ＳＣ全体を冷却するとともに、装置全体を換気してコロナ放電によって発生したオゾンなどの気体イオンを除くためのファンＦＮ（図１）が設けられている。
【００６１】
コロナ帯電器ＳＣの第１ワイヤＷＲ１に接続された第１電源ＰＳ１は、定電流制御を行うスイッチング方式の電源であり、第１電流検出回路Ｉｓ１からの出力電流値のフィードバックにより、第１ワイヤＷＲ１からの放電電流の大きさが所定の値になるように駆動回路ＤＲ１にて、フィードバック電流値制御（定電流制御）を行う。第１電源ＰＳ１は、負電圧を発生して第１ワイヤＷＲ１に出力する。
【００６２】
コロナ帯電器ＳＣの第２ワイヤＷＲ２に接続された第２電源ＰＳ２は、定電流制御を行うスイッチング方式の電源であり、第２電流検出回路Ｉｓ２からの出力電流値のフィードバックにより、第２ワイヤＷＲ２からの放電電流の大きさが所定の値になるように駆動回路ＤＲ２にて電流フィードバック制御（定電流制御）を行う。第２電源ＰＳ２も、負電圧を発生して第２ワイヤＷＲ２に出力する。
【００６３】
コロナ帯電器ＳＣのグリッドＧＲに接続された第３電源ＰＳ３は、定電圧制御を行うシャントレギュレータ（ドロッパ）方式の電源であり、電圧検出回路Ｖｓ３からの出力電圧値のフィードバックにより、スコロトロングリッドの電位が所定の値になるように駆動回路ＤＲ３にて制御が行われる。第３電源ＰＳ３も負の電圧を発生する。
【００６４】
第１ワイヤＷＲ１および第２ワイヤＷＲ２からの放電電流のグリッドＧＲへの流れ込みを利用してグリッドＧＲに電圧を発生させるため、第１電源ＰＳ１および第２電源ＰＳ２の出力が双方とも遮断されれば第３電源ＰＳ３の電圧は停止する。しかし、両ワイヤＷＳ１とＷＳ２の放電が同時に停止しない限り、グリッドＧＲに電圧を発生させることは可能である。
【００６５】
第１ワイヤＷＲ１においてリークが発生した瞬間では、図９に示すように、第１ワイヤＷＲ１の放電電流（絶対値）が瞬時に著しく大きな値を示し、電圧が降下する。これは、第１ワイヤＷＲ１に接続された第１電源ＰＳ１が定電流制御を行う電源であるため、リークが発生したときにはグリッドＧＲ（あるいはそれに接続されたケーシングＣＨや仕切りＳＬ）などとの間に放電路が形成され、それまでの第１ワイヤＷＲ１とグリッドＧＲとの間の抵抗値が下がり、オームの法則により抵抗値が下がれば電圧も下がるという関係があるためである。第１電源ＰＳ１は、この電圧の異常低下を電圧検出回路Ｖｓ１によって、リークと検出する。第１電源ＰＳ１の駆動回路ＤＲ１は、リーク検出に応答して給電動作を停止して停止ロック状態となって、インターフェース回路１０４に接続した状態データラインの状態データを、リークを表すものに切り換える。該駆動回路ＤＲ１は、インターフェース回路１０４に接続した制御データラインにＣＰＵ９１から初期化（リセット）指示（停止解除）が到来すると、停止ロック状態を解除して、給電指示に応答してコロナ帯電電力を給電し得る状態に復帰する。
【００６６】
空気は比較的高い電気的抵抗値を持っているため、第１ワイヤＷＲ１のほうがグリッドＧＲより高い電位にあるが、リークが発生した瞬間は第１ワイヤＷＲ１とグリッドＧＲが短絡されたのと近い状態になり、グリッドＧＲの電圧が若干上昇する。しかしそれは、グリッドＧＲに接続された第３電源ＰＳ３が定電圧制御を行う電源であるために、すぐに所定の電圧に落ち着く。
【００６７】
第１ワイヤＷＲ１から発生するリークには、その状態として二種類考えられる。一つは第１ワイヤＷＲ１にマシン内を浮遊している紙粉や埃，トナーなどのゴミが付着することによって放電抵抗が増加し、図１０に示すように、第１ワイヤＷＲ１の放電電圧（絶対値）が上昇することによって、すなわち高電圧異常によって、空気の絶縁を破壊してリークにいたるものである。この高電圧異常をリーク前兆の高電圧異常という。もう一つは、コロナ放電によって第１ワイヤＷＲ１から放出された電子が空気分子に衝突することによって発生したイオンが第１ワイヤＷＲ１とグリッドＧＲ（およびそれと接続されたケーシングＣＨや仕切りＳＬ）のあいだに滞留し、それによって空気の絶縁抵抗が下がることによって電流が流れやすくなって、図１１に示すように、第１ワイヤＷＲ１の放電電圧（絶対値）が低下しすなわち低電圧異常になりリークが発生する。この低電圧異常をリーク前兆の低電圧異常という。
【００６８】
第１ワイヤＷＲ１の放電電圧（絶対値）が所定の値まで低下したことによって電圧検出回路Ｖｓ１が、リークの危険性があると検知した場合すなわちリーク前兆の低電圧異常（図１０）を検出すると、第１電源ＰＳ１の駆動回路ＤＲ１は、低電圧異常の検出に応答して給電動作を停止して停止ロック状態となって、インターフェース回路１０４に接続した状態データラインの状態データを、低電圧異常を表すものに切り換える。
【００６９】
第１ワイヤＷＲ１放電電圧（絶対値）が所定の値まで増加したことによって電圧検出回路Ｖｓ１が、リークの危険性があると検知した場合すなわちリーク前兆の高電圧異常（図１１）を検出すると、第１電源ＰＳ１の駆動回路ＤＲ１は、高電圧異常の検出に応答して給電動作を停止して停止ロック状態となって、インターフェース回路１０４に接続した状態データラインの状態データを、高電圧異常を表すものに切り換える。
【００７０】
第２ワイヤＷＲ２の放電異常も上述の第１ワイヤＷＲ１と同様であり、また第２ワイヤＷＲ２にコロナ帯電電力を給電する第２電源ＰＳ２の構成および機能も、上述の第１電源ＰＳ１と同様である。
【００７１】
コロナ帯電器ＳＣのグリッドＧＲに接続された第３電源ＰＳ３は、電圧検出回路Ｖｓ３からの出力電圧値のフィードバックにより、スコロトロングリッドの電位が所定の値になるように駆動回路ＤＲ３にて定電圧フィードバック制御を行うが、第１電源ＰＳ１および第２電源ＰＳ２の出力が共に消滅したときには、これによる電圧低下を電圧検出回路Ｖｓ３によって、ＷＲ１およびＷＲ２の放電異常（ＰＳ１およびＰＳ２停止）と検出する。この放電異常の検出に応答して第３電源ＰＳ３の駆動回路ＤＲ３は、定電圧制御動作を停止して停止ロック状態となって、インターフェース回路１０４に接続した状態データラインの状態データを、全体異常（ＰＳ１およびＰＳ２停止）を表すものに切り換える。該駆動回路ＤＲ３は、インターフェース回路１０４に接続した制御データラインにＣＰＵ９１から初期化（リセット）指示が到来すると、停止ロック状態を解除して、給電指示に応答してグリッド電圧を制御し得る状態に復帰する。
【００７２】
図示は省略したが、コロナ帯電器ＳＣには、ＷＲ１清掃機構，ＷＲ２清掃機構およびＧＲ清掃機構があり、それぞれを個別に自動清掃することが出来る。
【００７３】
図５に、図２に示すシステムコントローラ７０（にあるＣＰＵ７１）の、操作表示ボード１０に対するユーザの操作又はＰＣＭからのコマンドに応答して実行するシステム制御の概要を示す。動作電圧が加わるとＣＰＵ７１は、出力ポートのクリア，内部メモリ，レジスタの初期化等を行い（ステップＳ１，Ｓ２）、そして各部の状態読み取りを行う（ステップＳ３）。以下では、括弧内にはステップという語を省略して、ステップ番号のみを記す。
【００７４】
このときエンジン制御９０のＣＰＵ９１も各部の状態読み取りを行い、そのときＮＶ−ＲＡＭ９５の２ビット構成の修整指示データＣａｃを参照して（Ｓ４ａ）、チャージャの修整要（Ｃａｃの２ビットのいずれかが「１」）かを検索して、そうであると「チャージャ修整」ＣＡＤを実行する。この「チャージャ修整」ＣＡＤの内容は、図７を参照して後述する。
【００７５】
ＣＰＵ７１は、異常個所があるとか「チャージャ修整」中など、作像不可状態であると、それを操作表示ボード１０のディスプレイ１１あるいはＬＥＤで報知し、正常（正常動作可）に変わるのを待つ（Ｓ４ｂ，Ｓ５）。正常であると、「入力読み取り」（Ｓ６）で、操作表示ボード１０に対するユーザの操作あるいはＰＣＭ又はＦＡＸからのコマンド又は受信要求があるのを待つ。
【００７６】
ここで、操作表示ボード１０上の「初期設定」キーが操作されると、操作表示ボード１０（にあるＣＰＵ７１）は、「初期設定」（Ｓ８）を実行する。この「初期設定」（Ｓ８）において操作表示ボード１０は、そのＬＣＤ（液晶タッチパネル）１１に、初期設定のメニュー画面を表示する。該メニュー画面にはユーザ登録の項目があり、該ユーザ登録をオペレータが指定すると、ＭＦ１管理者パスワードの入力画面を表示する。オペレータがＭＦ１管理者パスワードを入力すると、操作表示ボード１０は、ユーザ登録入力画面を表示する。この画面上にユーザ名とパスワードを入力して、ユーザ登録することができる。ユーザ登録情報（ユーザ名＆パスワード）は、操作表示ボード１０の不揮発メモリに書込まれる。
【００７７】
操作表示ボード１０のＬＣＤ１１に表示された機能選択キー群の中の「コピー」をユーザが指定すると、ＬＣＤ１１の表示は、コピーモードの入力画面となり、コントローラＳＣＤのＣＰＵ７１は、操作表示ボード１０に対するユーザのコピー用入力操作に応答する「コピー」（Ｓ１０）を実行する。
【００７８】
機能選択キー群の中の「読み取り」をユーザが指定すると、ＬＣＤ１１の表示は、原稿画像「読み取り」モードの入力画面となり、ＣＰＵ７１は、操作表示ボード１０に対するユーザの読み取り用入力操作に応答する「読み取り」（Ｓ１２）を実行する。機能選択キー群の中の「印刷」をユーザが指定すると、ＬＣＤ１１の表示は、蓄積画像の「印刷」モードの入力画面となり、ＣＰＵ７１は、操作表示ボード１０に対するユーザの蓄積画像印刷のための入力操作に応答する「印刷」（Ｓ１４）を実行する。機能選択キー群の中の「ファクシミリ」をユーザが指定すると、ＬＣＤ１１の表示は、スキャナ１０に配置した原稿の「ファクシミリ（送信）」モードの入力画面となり、ＣＰＵ７１は、操作表示ボード１０に対するユーザのファクシミリ送信のための入力操作に応答する「ファクシミリ」（Ｓ１６）を実行する。機能選択キー群の中の「蓄積」をユーザが指定すると、ＬＣＤ１１の表示は、スキャナ１０に配置した原稿の画像をＨＤＤ７８に蓄積（登録）する「蓄積」モードの入力画面となり、ＣＰＵ７１は、操作表示ボード１０に対するユーザの蓄積のための入力操作に応答する「蓄積」（Ｓ１８）を実行する。
【００７９】
複合機能複写機ＭＦ１に接続されたパソコンＰＣＭには、該ＰＣＭを操作表示ボード１０と同等の操作端末とししかもＰＣＭに接続されたディスプレイに、操作表示ボード１０のディスプレイと同様に読み取り画像を表示するアプリケーションプログラムがインストールされており、ユーザはＰＣＭを用いて、操作表示ボード１０を使用するのと同等に、複写機ＭＦ１を使用することができる。ＰＣＭのアプリケーションプログラムを起動することにより、操作表示ボード１０のＬＣＤ１１に表示される操作ボード入力画面と同様な入力画面がＰＣＭのディスプレイに表示され、該入力画面上の入力ボタンにカーソルをおいてダブルクリックするか、あるいはＥｎｔｅｒキーを押すことにより、該入力ボタンに対する入力操作をＰＣＭが認識する。ＰＣＭに対する入力操作に応答して、ＰＣＭから複写機ＭＦ１のコントローラＳＣＤにコマンドが送られてくると、コントローラＳＣＤのＣＰＵ７１は、操作表示ボード１０に対して入力操作があった場合と同様に、コマンド対応の制御に進む（Ｓ１９，Ｓ２０）。
【００８０】
外部メモリすなわちメディアがボード８１の外部Ｉ／Ｆに接続されているときには、ＬＣＤ１１の表示は、外部メモリに対するデータ読み込み／書き込みを行うための入力画面となり、ＣＰＵ７１は、操作表示ボード１０に対するユーザの外部メモリ読み書き入力操作に応答する「外部メモリアプリケーション」（Ｓ２１，Ｓ２２）を実行する。
【００８１】
上述の「コピー」Ｓ１０，「印刷」Ｓ１４およびその他の、プリンタ４０によって用紙に画像形成する作像工程の中の、コロナ帯電器ＳＣによる感光体ドラムＰＣの帯電工程において、コロナ帯電電源ＰＳ１〜ＰＳ３のいずれかが給電を停止して、リーク，低電圧異常，高電圧異常あるいは全体異常を表す状態データを発生すると、インターフェース回路１０４がＣＰＵ９１に、「チャージャ異常割り込み」信号を与える。この割り込み信号に応答してＣＰＵ９１が「チャージャ異常割り込み」ＣＡＩを実行する。
【００８２】
図６に該「チャージャ異常割り込み」ＣＡＩの概要を示す。これに進むとＣＰＵ９１は、電源出力を停止したコロナ帯電電源（ＰＳ１〜ＰＳ３のいずれか）が発生している異常状態データ（リーク／低電圧異常／高電圧異常／全体異常）をレジスタＤａｍ（ＣＰＵ９１の内部メモリの１領域）に格納して（Ｓ３１）、異常対応で給電を停止した電源（異常停止電源）がＰＳ１であると、「ＷＲ１継続処理」Ｓ３３を、異常停止電源がＰＳ２であると「ＷＲ１継続処理」Ｓ３９を、異常停止電源がＰＳ１とＰＳ２又はＰＳ３であると「作像停止」Ｓ４１を行う。
【００８３】
「ＷＲ１継続処理」Ｓ３３では、ＮＶ−ＲＡＭ９５の動作モードデータに対応して、それが「継続優先」モードであると、ＰＳ２に給電電力アップを指示し（Ｓ３３２）、そして作像線速（ＰＣ回転速度他：副走査速度）を設定小値分下げる（Ｓ３３３）。「回復優先」モードであった場合には、ＰＳ２の出力電力アップはせずに作像線速を設定大値分下げる（Ｓ３３４）。継続優先モードでは、第２ワイヤＷＲ２の放電量を多くすることで、第２ワイヤＷＲ２においてのリークの可能性は高まるが、継続処理中の作像生産性が高い。回復優先モードでは、作像生産性は比較的落ちるが、継続中に第２ワイヤＷＲ２におけるリークの可能性を高めずより安全に正常状態に復帰可能である。
【００８４】
第１ワイヤＷＲ１からの放電が停止している間、残りの第２ワイヤＷＲ２の放電電流を増加し、作像線速を少量ダウンすることで、画像形成装置の生産性低下を最小限に抑えるという点である。第１ワイヤＷＲ１においてリークが発生した瞬間では、第１ワイヤＷＲ１の放電電流が瞬時に著しく大きな値を示し、電圧が降下する。これは、第１ワイヤＷＲ１に接続された第１電源ＰＳ１が定電流制御を行う電源であるため、リークが発生したときにはグリッドＧＲ（あるいはそれに接続されたケーシングＣＨや仕切りＳＬ）などとの間に放電路が形成され、それまでの第１ワイヤＷＲ１とグリッドＧＲとの間の抵抗値が下がり、オームの法則により抵抗値が下がれば電圧も下がるという関係があるためである。第１電源ＰＳ１では、この電圧低下を電圧検出手段によって検知することで、リークを検出する。リークを検知した第１電源ＰＳ１は出力を停止する。空気は比較的高い電気的抵抗値を持っているため、第１ワイヤＷＲ１のほうがグリッドＧＲより高い電位にあるが、リークが発生した瞬間は第１ワイヤＷＲ１とグリッドＧＲが短絡されたのと近い状態になり、グリッドＧＲの電圧が若干上昇する。しかしそれは、グリッドＧＲに接続された第３電源ＰＳ３が定電圧制御を行う電源であるために、すぐに所定の電圧に落ち着く。感光体ＰＣは、リークが発生して第１ワイヤＷＲ１の放電が停止すると、コロナ帯電総ＳＣからの電子流量が減少するため、表面電位が所定の値まで上がりきることができない。しかしそれは、作像線速をダウンさせることによって、単位面積あたりに降り注ぐ単位時間あたりの電子量を、第１ワイヤＷＲ１の放電停止前の状態に近づけることによって次第に解消される。このとき、図１２に示すように、放電が停止していない第２ワイヤＷＲ２からの放電量を増加させることで（Ｓ３３２）、作像線速のダウン量が少なくても、単位面積あたりに降り注ぐ単位時間あたりの電子量を、第１ワイヤＷＲ１の放電停止前の状態に近づけることができる。
【００８５】
第１ワイヤＷＲ１の低電圧異常によって電源ＰＳ１が給電を停止した場合も、図１３に示すように、放電が停止していない第２ワイヤＷＲ２からの放電量を増加させることで（Ｓ３３２）、作像線速のダウン量が少なくても、単位面積あたりに降り注ぐ単位時間あたりの電子量を、第１ワイヤＷＲ１の放電停止前の状態に近づけることができる。
【００８６】
第１ワイヤＷＲ１の高電圧異常によって電源ＰＳ１が給電を停止した場合も、図１４に示すように、放電が停止していない第２ワイヤＷＲ２からの放電量を増加させることで（Ｓ３３２）、作像線速のダウン量が少なくても、単位面積あたりに降り注ぐ単位時間あたりの電子量を、第１ワイヤＷＲ１の放電停止前の状態に近づけることができる。
【００８７】
「ＷＲ２継続処理」Ｓ３９の内容は、「ＷＲ１継続処理」Ｓ３３の内容と同様であるが、ＰＳ２の出力アップはＰＳ１の出力アップと読み替える。「ＷＲ１継続処理」Ｓ３３を実行したときには２ビット構成の修整指示データＣａｃの下位ビットを「１」とする。すなわち、データＣａｃにＷＲ１指定データを格納する。「ＷＲ２継続処理」Ｓ３９を実行したときには２ビット構成の修整指示データＣａｃの上位ビットを「１」とする。すなわち、データＣａｃにＷＲ２指定データを格納する。
【００８８】
そしてコロナ帯電器の異常を、コントローラ７０に通知し、コントローラ７０が通信コントロール装置９７，８３を介して、外部のサービスセンタ（保守契約したサービスセンタ）に報知する（Ｓ３５）とともに、帯電異常が発生した帯電面が画像フレーム用の面内であると、該画像フレーム用の面に関する現像および転写を中止し、次の作像開始を、前頁の（該画像フレーム用であった）画像に設定して（Ｓ３６，Ｓ３７）、割り込み処理を終了して、割り込み処理に進入する直前の作像工程に復帰して、新たなＰＣ帯電工程から作像作業を再開する。帯電異常が発生した帯電面が画像フレーム用の面外であると、次の作像開始を、次頁の画像に設定して（Ｓ３６，Ｓ３７）、新たなＰＣ帯電工程から作像作業を再開する（Ｓ３６，Ｓ３８）。
【００８９】
「作像停止」Ｓ４１では、帯電異常が発生した帯電面が画像フレーム用の面内であると、該画像フレーム用の面に関する現像および転写を中止し、先行の作像済用紙の定着排出が完了するのを待って、エンドサイクルを開始する。すなわち機構停止の前処理を開始する。次には、２ビット構成の修整指示データＣａｃの上，下位ビットをともに「１」とする（Ｓ４２）。すなわち、データＣａｃに全体指定データを格納する。そしてコロナ帯電器の異常を、コントローラ７０に通知し、コントローラ７０が通信コントロール装置９７，８３を介して、外部のサービスセンタに報知する（Ｓ４５）とともに、帯電異常が発生した帯電面が画像フレーム用の面内であると、次の作像開始を、前頁の（該画像フレーム用であった）画像に設定して（Ｓ４４，Ｓ４５）、新たなＰＣ帯電工程から作像作業を再開する。帯電異常が発生した帯電面が画像フレーム用の面外であると、次の作像開始を、次頁の画像に設定して（Ｓ４４，Ｓ４６）、「状態読み取り」Ｓ３に進む。
【００９０】
すなわち、ＷＲ１又はＷＲ２の放電異常があった場合には、異常を生じたＰＣ上画像フレームおよびそれを途中まで現像，転写した用紙は不完全なものとして処理され、しかも自動的に該画像フレームに宛てられた画像から、再作像が再開されて、ユーザがコピー又は印刷に設定（指定）していた原稿又は画像および枚数の作像を自動的に継続して行い（Ｓ３６〜Ｓ３８−リターン）、すべてを完了すると「状態読み取り」Ｓ３に戻る。しかし、ＷＲ１およびＷＲ２に放電異常があった場合には、異常を生じたＰＣ上画像フレームおよびそれを途中まで現像，転写した用紙を不完全なものとして処理し、しかもそこで作像作業を中断して「状態読み取り」Ｓ３に戻るので（Ｓ４４〜Ｓ４６−Ｓ３）、ユーザがコピー又は印刷に設定していた原稿又は画像および枚数の作像作業が中断する。
【００９１】
「状態読み取り」Ｓ３に戻ると、修整指示データＣａｃが「ＷＲ１指定データ」，「ＷＲ２指定データ」又は「全体指定データ」になっているとＣＰＵ９１は、「チャージャ修整」ＣＡＤに進む。
【００９２】
図７に、「チャージャ修整」ＣＡＤの概要を示す。ここでＣＰＵ９１は、修整指示データＣａｃが、「ＷＲ１指定データ」であるときには「ＷＲ１リカバリ」Ｓ５２を、「ＷＲ２指定データ」であるときには「ＷＲ２リカバリ」Ｓ５５を、「全体指定データ」であるときには「全体リカバリ」Ｓ５７を、実行する。
【００９３】
「ＷＲ１リカバリ」Ｓ５２では、レジスタＤａｍ（図６のＳ３１）の電源停止原因データＤａｍに対応して（Ｓ５２１）、それが低電圧異常を表すものであるときは、設定時間の間ファンＦＮを回転駆動してコロナ帯電器ＳＣを冷却する（Ｓ５２１）。これにより、スコロトロングリッド（あるいはグリッドＧＲと接続されたケーシングＣＨの仕切りＳＬ）とのあいだに滞留したイオンを換気する。電源停止原因データＤａｍがリークを表すものであったときには、ＷＲ１清掃機構を駆動して第１ワイヤＷＲ１を自動清掃し（Ｓ５５２）、そして設定時間の間ファンＦＮを回転駆動してコロナ帯電器ＳＣを冷却する（Ｓ５２３）。高電圧異常を表すものであるときは、ＷＲ１清掃機構を駆動して第１ワイヤＷＲ１を自動清掃する（Ｓ５２４）。次には「ＷＲ１リカバリ後処理」Ｓ５３に進んで、ＮＶ−ＲＡＭ９５の動作モードを参照して、それが「継続優先」モードであると、電源ＰＳ２の給電電力をアップしているので（図６のＳ３３２）、電源ＰＳ２の給電電力の設定を元に戻し（Ｓ５３２）すなわちアップを解除し、作像線速も元に戻し（Ｓ５３３）すなわちダウンを解除し、修整指示データＣａｃをクリアしこのとき電源ＰＳ１の停止ロックを解除（ＰＳ１初期化）する（Ｓ５４）。そして自動修整をしたことおよびその内容を、サービスセンタに報知する（Ｓ５４）。
【００９４】
修整指示データＣａｃが、「ＷＲ２指定データ」であった場合には、「ＷＲ２リカバリ」Ｓ５５および「ＷＲ２リカバリ後処理」Ｓ５６を実行する。これらの内容は上述の「ＷＲ１リカバリ」Ｓ５３および「ＷＲ１リカバリ後処理」Ｓ５３と同様である。ただし、ＷＲ１はＷＲ２と、ＰＳ２はＰＳ１と読み替える。
【００９５】
図８に、「全体リカバリ」Ｓ５７の内容を示す。ここでは、ＮＶ−ＲＡＭ９５に格納している復帰モードに対応して、それが完全復帰モードであると、ＧＲ清掃機構を駆動してグリッドＧＲを自動清掃する（Ｓ６２）。次いでＷＲ１清掃機構およびＷＲ２清掃機構を駆動してワイヤＷＲ１，ＷＲ２を自動清掃する（Ｓ６３）。つぎに冷却ファンをＦＮを設定時間駆動する（Ｓ６４）。これらが終了すると、２ビット構成の修整指示データＣａｃの上位，下位ビットを共に「０」に初期化する（Ｓ６５）。すなわちデータＣａｃをクリアする。
【００９６】
復帰モードが簡易復帰モードであった場合には、電源停止原因データＤａｍに対応して、ワイヤＷＲ１，ＷＲ２共に高電圧異常であるとＷＲ１清掃機構およびＷＲ２清掃機構を駆動してワイヤＷＲ１，ＷＲ２を自動清掃する（Ｓ６７）。ワイヤＷＲ１，ＷＲ２共に低電圧異常であると冷却ファンを設定時間駆動する（Ｓ６４）。ワイヤＷＲ１又はＷＲ２がリークであると、完全復帰の場合と同様に、グリッドＧＲを自動清掃し（Ｓ６２）、ワイヤＷＲ１，ＷＲ２を自動清掃し（Ｓ６３）、冷却ファンをＦＮを設定時間駆動する。これらが終了すると、２ビット構成の修整指示データＣａｃの上位，下位ビットを共に「０」に初期化する（Ｓ６５）。完全復帰モードを実行すると、コロナ帯電器ＳＣのリークの可能性が低減する。簡易復帰モードは、修整時間が短く、定常作像状態への復帰を早くするものである。
【００９７】
図９は、第１ワイヤＷＲ１において、リークが発生した場合の動作例である。第１ワイヤＷＲ１においてリークが発生した瞬間では、第１ワイヤＷＲ１の放電電流が瞬時に著しく大きな値を示し、電圧が降下する。これは、第１ワイヤＷＲ１に接続された第１電源ＰＳ１が定電流制御を行う電源であるため、リークが発生したときにはグリッドＧＲ（あるいはそれに接続されたケーシングＣＨや仕切りＳＬ）などとの間に放電路が形成され、それまでの第１ワイヤＷＲ１とグリッドＧＲとの間の抵抗値が下がり、オームの法則により抵抗値が下がれば電圧も下がるという関係があるためである。第１電源ＰＳ１では、この電圧低下を電圧検出回路Ｖｓ１によって検知することで、リークを検出する。
【００９８】
リークを検知した第１電源ＰＳ１は出力を停止する。空気は比較的高い電気的抵抗値を持っているため、第１ワイヤＷＲ１のほうがグリッドＧＲより高い電位にあるが、リークが発生した瞬間は第１ワイヤＷＲ１とグリッドＧＲが短絡されたのと近い状態になり、グリッドＧＲの電圧が若干上昇する。しかしそれは、グリッドＧＲに接続された第３電源ＰＳ３が定電圧制御を行う電源であるために、すぐに所定の電圧に落ち着く。
【００９９】
感光体ＰＣは、リークが発生して第１ワイヤＷＲ１の放電が停止すると、コロナ帯電器ＳＣからの電子流量が減少するため、表面電位が所定の値まで上がりきることができない。しかしそれは、作像線速をダウンさせること（Ｓ３３３／Ｓ３３４）によって、単位面積あたりに降り注ぐ単位時間あたりの電子量を、第１ワイヤＷＲ１の放電停止前の状態に近づけることによって次第に解消される。放電停止後に実施されるリカバリ動作（Ｓ５２２，Ｓ５２３）によって第１ワイヤＷＲ１の状態が回復すれば、再び第１電源ＰＳ１から第１ワイヤＷＲ１への放電を開始し、正常の作像動作へと復帰する。
【０１００】
図１０は、第１ワイヤＷＲ１において、放電電圧が所定の値まで低下したこと（低電圧異常）によってリークの危険性がある（リーク前兆）と検知した場合の動作例である。コロナ放電によって第１ワイヤＷＲ１から放出された電子が空気分子に衝突することによって発生したイオンが第１ワイヤＷＲ１とグリッドＧＲ（およびそれと接続されたケーシングＣＨや仕切りＳＬ）のあいだに滞留し、それによって空気の絶縁抵抗が下がることによって電流が流れやすくなり、これによってリークが発生する。該リークが発生する前に、空気の抵抗値が減少することによって、第１ワイヤＷＲ１の放電電圧が次第に減少する。本図における動作例は、該リークの前兆である低電圧異常が発生した場合を示している。
【０１０１】
第１ワイヤＷＲ１の放電電圧が所定の値（低電圧異常値）に達した場合、第１電源ＰＳ１はリークの危険性があると判断して、放電を停止する。感光体ＰＣは、第１ワイヤＷＲ１の放電が停止すると、コロナ帯電総ＳＣからの電子流量が減少するため、表面電位が所定の値まで上がりきることができない。しかしそれは、作像線速をダウンさせること（Ｓ３３３／Ｓ３３４）によって、単位面積あたりに降り注ぐ単位時間あたりの電子量を、放電停止ＷＲ１の放電停止前の状態に近づけることによって次第に解消される。放電停止後に実施されるリカバリ動作（Ｓ５２１）によって第１ワイヤＷＲ１の状態が回復すれば、再び第１電源ＰＳ１から第１ワイヤＷＲ１への放電を開始し、正常の作像動作へと復帰する。
【０１０２】
図１１は、第１ワイヤＷＲ１において、放電電圧が所定の値まで増加したこと（高電圧異常）によってリークの危険性があると検知した場合の動作例である。第１ワイヤＷＲ１にマシン内を浮遊している紙粉や埃、トナーなどのゴミが付着することによって放電抵抗が増加し、第１ワイヤＷＲ１の放電電圧が上昇することによって空気の絶縁を破壊してリークにいたるが、その前兆の高電圧異常が発生した場合を示している。
【０１０３】
ゴミなどの付着によって放電抵抗が増加することによって、第１ワイヤＷＲ１の放電電圧が次第に増加する。この値が所定の値に達した場合、第１電源ＰＳ１はリークの危険性があると判断して、放電を停止する。感光体ＰＣは、第１ワイヤＷＲ１の放電が停止すると、コロナ帯電総ＳＣからの電子流量が減少するため、表面電位が所定の値まで上がりきることができない。しかしそれは、作像線速をダウンさせること（Ｓ３３３／Ｓ３３４）によって、単位面積あたりに降り注ぐ単位時間あたりの電子量を、第１ワイヤＷＲ１の放電停止前の状態に近づけることによって次第に解消される。放電停止後に実施されるリカバリ動作（Ｓ５２４）によって第１ワイヤＷＲ１の状態が回復すれば、再び第１電源ＰＳ１から第１ワイヤＷＲ１への放電を開始し、正常の作像動作へと復帰する。
【０１０４】
図１２は、第１ワイヤＷＲ１において、リークが発生した場合の動作例である。先の例（図９）と異なるのは、第１ワイヤＷＲ１からの放電が停止している間、残りの第２ワイヤＷＲ２の放電電流を増加し、作像線速のダウン量を最小限にすることで、画像形成装置の生産性低下を最小限に抑えるという点である。第１電源ＰＳ１はリークを検出すると出力を停止する。感光体ＰＣは、リークが発生して第１ワイヤＷＲ１の放電が停止すると、コロナ帯電総ＳＣからの電子流量が減少するため、表面電位が所定の値まで上がりきることができない。しかしそれは、作像線速をダウンさせること（Ｓ３３３／Ｓ３３４）によって、単位面積あたりに降り注ぐ単位時間あたりの電子量を、第１ワイヤＷＲ１の放電停止前の状態に近づけることによって次第に解消される。このとき、放電が停止していない第２ワイヤＷＲ２からの放電量を増加させることで（Ｓ３３２）、作像線速のダウン量が少なくても、単位面積あたりに降り注ぐ単位時間あたりの電子量を、第１ワイヤＷＲ１の放電停止前の状態に近づけることができる。放電停止生後に実施されるリカバリ動作（Ｓ５２２，Ｓ５２３）によって第１ワイヤＷＲ１の状態が回復すれば、再び第１電源ＰＳ１から第１ワイヤＷＲ１への放電を開始し、同時に第２ワイヤＷＲ２の放電量を通常の値まで下げることで、正常の作像動作へと復帰する。
【０１０５】
図１３は、第１ワイヤＷＲ１において、放電電圧が所定の値まで低下したことによってリークの危険性があると検知した場合の動作例である。先の例（図１０）と異なるのは、第１ワイヤＷＲ１からの放電が停止している間、残りの第２ワイヤＷＲ２の放電電流を増加し、作像線速のダウン量を最小限にすることで、画像形成装置の生産性低下を最小限に抑えるという点である。第１電源ＰＳ１が給電を停止し第１ワイヤＷＲ１の放電が停止すると、感光体ＰＣはコロナ帯電総ＳＣからの電子流量が減少するため、表面電位が所定の値まで上がりきることができない。しかしそれは、作像線速をダウンさせること（Ｓ３３３／Ｓ３３４）によって、単位面積あたりに降り注ぐ単位時間あたりの電子量を、第１ワイヤＷＲ１の放電停止前の状態に近づけることによって次第に解消される。このとき、放電が停止していない第２ワイヤＷＲ２からの放電量を増加させることで（Ｓ３３２）、作像線速のダウン量が少なくても、単位面積あたりに降り注ぐ単位時間あたりの電子量を、第１ワイヤＷＲ１の放電停止前の状態に近づけることができる。放電停止後に実施されるリカバリ動作（Ｓ５２１）によって第１ワイヤＷＲ１の状態が回復すれば、再び第１電源ＰＳ１から第１ワイヤＷＲ１への放電を開始し、同時に第２ワイヤＷＲ２の放電量を通常の値まで下げることで、正常の作像動作へと復帰する。
【０１０６】
図１４は、第１ワイヤＷＲ１において、放電電圧が所定の値まで増加したことによってリークの危険性があると検知した場合の動作例である。先の例（図１１）と異なるのは、第１ワイヤＷＲ１からの放電が停止している間、残りの第２ワイヤＷＲ２の放電電流を増加し、作像線速のダウン量を最小限にすることで、画像形成装置の生産性低下を最小限に抑えるという点である。第１電源ＰＳ１が給電を停止して第１ワイヤＷＲ１の放電が停止すると、感光体ＰＣはコロナ帯電器ＳＣからの電子流量が減少するため、表面電位が所定の値まで上がりきることができない。しかしそれは、作像線速をダウンさせること（Ｓ３３３／Ｓ３３４）によって、単位面積あたりに降り注ぐ単位時間あたりの電子量を、第１ワイヤＷＲ１の放電停止前の状態に近づけることによって次第に解消される。このとき、放電が停止していない第２ワイヤＷＲ２からの放電量を増加させることで（Ｓ３３２）、作像線速のダウン量が少なくても、単位面積あたりに降り注ぐ単位時間あたりの電子量を、第１ワイヤＷＲ１の放電停止前の状態に近づけることができる。放電停止後に実施されるリカバリ動作（Ｓ５２４）によって第１ワイヤＷＲ１の状態が回復すれば、再び第１電源ＰＳ１から第１ワイヤＷＲ１への放電を開始し、同時に第２ワイヤＷＲ２の放電量を通常の値まで下げることで、正常の作像動作へと復帰する。
【実施例２】
【０１０７】
図１５に、本発明の第２実施例の、電源ＰＳ１〜ＰＳ３の構成を示す。これらの電源は正電圧のコロナ帯電電力をコロナ帯電器ＳＣに給電する。コロナ帯電器ＳＣの第１ワイヤＷＲ１に接続された第１電源ＰＳ１は、定電流制御を行うスイッチング方式の電源であり、駆動回路ＤＲ１が、電流検出回路Ｉｓ１が検出した出力電流値を用いるフィードバック制御により、第１ワイヤＷＲ１からの放電電流の大きさが所定の値になるように、定電流制御を行う。電源ＰＳ１のダイオードＤ１の電気接続の順方向が、第１実施例のダイオードＤ１とは逆であるので、図１５に示す第２実施例の第１電源ＰＳ１は、正の電圧を発生する。
【０１０８】
コロナ帯電器ＳＣの第２ワイヤＷＲ２に接続された第２電源ＰＳ２も、定電流制御を行うスイッチング方式の電源であり、電流検出回路Ｉｓ２からの出力電流値のフィードバックにより、第２ワイヤＷＲ２からの放電電流の大きさが所定の値になるように駆動回路ＤＲ２にて制御が行われる。第２電源ＰＳ２も正の電圧を発生する。
【０１０９】
コロナ帯電器ＳＣのグリッドＧＲに接続された第３電源ＰＳ３は、定電圧制御を行うシャントレギュレータ（ドロッパ）方式の電源であり、電圧検出回路Ｖｓ３からの出力電圧検出信号のフィードバックにより、グリッドＧＲの電位が所定の値になるように駆動回路ＤＲ３が電圧フィードバック制御（定電圧制御）を行う。第３電源ＰＳ３は正電圧を発生する。
【０１１０】
第１ワイヤＷＲ１および第２ワイヤＷＲ２からの放電電流のグリッドＧＲへの流れ込みを利用して電圧を発生させるため、第１電源ＰＳ１および第２電源ＰＳ２の出力が双方とも遮断されれば第３電源ＰＳ３の出力は停止する。しかし、すべての放電手段の放電が停止しない限り、グリッドＧＲへの出力電圧を発生させることは可能である。
【０１１１】
第２実施例のその他のハードウエアおよび機能は、感光体ドラムＰＣを正帯電するのに伴う機構および機能の変更の他は、上述の第１実施例と同様である。
【図面の簡単な説明】
【０１１２】
【図１】本発明の１実施例のシート移送装置を装備した複合機能フルカラー複写機の縦断面図である。
【図２】図１に示す複写機の画像処理システムの概要を示すブロック図である。
【図３】図２に示す操作ボードの外観を示す拡大平面図である。
【図４】図１に示す４組のコロナ帯電器ＳＣの中の一組と、それに給電する電源ＰＳ１〜ＰＳ３の構成を示すブロック図である。
【図５】図２に示すコントローラ７１のシステム制御およびＣＰＵ９１のコロナ帯電器の修整、の概要を示すフローチャートである。
【図６】図２に示すＣＰＵ９１の、コロナ帯電器ＳＣの異常発生に応答する割り込み処理の内容を示すフローチャートである。
【図７】図２に示すＣＰＵ９１が実行する、図５に示す「チャージャ修整」ＣＡＤの内容を示すフローチャートである。
【図８】図７に示す「全体リカバリ」Ｓ５７の内容を示すフローチャートである。
【図９】図４に示す第１ワイヤＷＲ１において、リークが発生した場合の、コロナ帯電器各部の電圧，電流および作像線速の推移の第１例を示すタイムチャートである。
【図１０】図４に示す第１ワイヤＷＲ１において、低電圧異常が発生した場合の、コロナ帯電器各部の電圧，電流および作像線速の推移の第１例を示すタイムチャートである。
【図１１】図４に示す第１ワイヤＷＲ１において、高電圧異常が発生した場合の、コロナ帯電器各部の電圧，電流および作像線速の推移の第１例を示すタイムチャートである。
【図１２】図４に示す第１ワイヤＷＲ１において、リークが発生した場合の、コロナ帯電器各部の電圧，電流および作像線速の推移の第２例を示すタイムチャートである。
【図１３】図４に示す第１ワイヤＷＲ１において、低電圧異常が発生した場合の、コロナ帯電器各部の電圧，電流および作像線速の推移の第２例を示すタイムチャートである。
【図１４】図４に示す第１ワイヤＷＲ１において、高電圧異常が発生した場合の、コロナ帯電器各部の電圧，電流および作像線速の推移の第２例を示すタイムチャートである。
【図１５】本発明の第２実施例の、電源ＰＳ１〜ＰＳ３の構成を示すブロック図である。
【符号の説明】
【０１１３】
１０：操作ボード
２０：カラー原稿スキャナ
３０：自動原稿供給装置
４０：カラープリンタ
４１：転写ベルト
４２：転写ローラ
４３：光書込みユニット
ＳＣ：コロナ帯電器
ＷＲ１，ＷＲ２：コロナ放電ワイヤ
ＧＲ：グリッド
ＳＬ：仕切り
ＣＨ：ケーシング
ＰＳ１〜ＰＳ３：電源
４５：搬送ベルト
４６：定着ユニット
４７：レジストローラ対
５１〜５３：給紙トレイ
ＰＣＭ：パソコン
ＰＢＸ：交換器
ＰＮ：通信回線
２００：電源回路
【図１】
2008304526.tif 000003
【図２】
2008304526.tif 000004
【図３】
2008304526.tif 000005
【図４】
2008304526.tif 000006
【図５】
2008304526.tif 000007
【図６】
2008304526.tif 000008
【図７】
2008304526.tif 000009
【図８】
2008304526.tif 000010
【図９】
2008304526.tif 000011
【図１０】
2008304526.tif 000012
【図１１】
2008304526.tif 000013
【図１２】
2008304526.tif 000014
【図１３】
2008304526.tif 000015
【図１４】
2008304526.tif 000016
【図１５】
2008304526.tif 000017